(57)【要約】【課題】  簡易的で安価な総運転時間測定装置を有する電気チェーンブロックを提供することにある。【解決手段】  荷の巻上げ下げを駆動する電動機と、前記電動機により駆動回転するスプロケットと、前記スプロケットに係合される第一のリンクと、前記第一のリンクと直交する第二のリンクとが交互に連結されたロードチェーンと、前記ロードチェーンの一端に連結されたロードブロックと、前記ロードチェーンの巻上げ下げを操作する押しボタンを具備した電気チェーンブロックであって、前記第二のリンクの通過回数を計測する計測装置を備えたことを特徴とする。【選択図】  図２
2015081147.tif 000002
【特許請求の範囲】
【請求項１】
荷の巻上げ下げを駆動する電動機と、
前記電動機により駆動回転するスプロケットと、
前記スプロケットに係合される第一のリンクと、前記第一のリンクと直交する第二のリンクとが交互に連結されたロードチェーンと、
前記ロードチェーンの一端に連結されたロードブロックと、
前記ロードチェーンの巻上げ下げを操作する押しボタンを具備した電気チェーンブロックであって、
前記第二のリンクの通過回数を計測する計測装置を備えたことを特徴とする電気チェーンブロック。
【請求項２】
請求項１に記載の電気チェーンブロックであって、
前記計測装置は、前記第二のリンクと接触して押し込まれるレバーと、前記レバーの押し込みを検知するセンサーとを有することを特徴とする電気チェーンブロック。
【請求項３】
請求項２に記載の電気チェーンブロックであって、
前記前記レバーは、前記スプロケットの頂点の上部に設けられたことを特徴とする電気チェーンブロック。
【請求項４】
請求項２または３に記載の電気チェーンブロックであって、
前記センサーに接続され、センサーの検知回数をカウントし、前記第二リンクの通過回数を計測するカウンタを備えたことを特徴とする電気チェーンブロック。
【請求項５】
請求項４に記載の電気チェーンブロックであって、
制御部で、前記カウンタでの計測された前記ロードチェーンの前記第二のリンクの通過回数とチェーンのピッチとの積を、電気チェーンブロック本体の巻上げ、巻下げ速度で除すことで総動作時間を算出することを特徴とする電気チェーンブロック。
【発明の詳細な説明】
【技術分野】
【０００１】
本発明は、電気チェーンブロックに関する。
【背景技術】
【０００２】
本技術分野の背景技術として、特開２０１２−１１１６１７号公報（特許文献１）がある。この公報には「既設の電気チェーンブロックや電気ホイスト等の巻上装置に電気的改造を行うことなく、後付けで容易に取り付けることができ、巻上装置の運転動作履歴等の作動状況を精度よく測定できる巻上装置の動作状況測定装置、及び該動作状況測定装置を備えた巻上装置を提供する」と記載されている。
【０００３】
上記のように電気チェーンブロックの総運転時間、総動作回数の把握は、点検時の本体寿命や各構成部品の寿命を予測するためにも非常に重要なことであり様々な方法が考案されている。
【先行技術文献】
【特許文献】
【０００４】
【特許文献１】特開２０１２−１１１６１７号公報
【発明の概要】
【発明が解決しようとする課題】
【０００５】
特許文献１に開示の技術では既設の電気チェーンブロックや電気ホイスト等の巻上装置に電気的改造を行うことなく、荷重計、３Ｄ加速度センサー、データ処理部、電源部をユニット化することで簡易的に取り付けられ、荷重別の動作回数、動作時間を測定している。一方で荷重計、３Ｄ加速度センサー等は非常に高価な部品であるため、ユーザー側からするとコスト面で問題がある。
【０００６】
本発明の目的は上記問題を解決し、簡易的で安価な総運転時間測定装置を有する電気チェーンブロックを提供することにある。
【課題を解決するための手段】
【０００７】
本願は上記課題を解決する手段を複数含んでいるが、その一例を挙げるならば、荷の巻上げ下げを駆動する電動機と、前記電動機により駆動回転するスプロケットと、前記スプロケットに係合される第一のリンクと、前記第一のリンクと直交する第二のリンクとが交互に連結されたロードチェーンと、前記ロードチェーンの一端に連結されたロードブロックと、前記ロードチェーンの巻上げ下げを操作する押しボタンを具備した電気チェーンブロックであって、前記第二のリンクの通過回数を計測する計測装置を備えたことを特徴とする。
【発明の効果】
【０００８】
電気チェーンブロックの総運転時間を簡易的で安価に計測可能な電気チェーンブロックを提供することができる。
【図面の簡単な説明】
【０００９】
【図１】電気チェーンブロック本体の構成図である。
【図２】実施例１による電気チェーンブロックの総運転時間測定装置の例である。
【発明を実施するための形態】
【００１０】
以下、実施例を図面を用いて説明する。なお、本発明は以下の実施例に限定されるものではない。
【実施例１】
【００１１】
以下、本発明の実施形態を、図１、２を参照して説明する。図１は本実施例にかかる本発明の電気チェーンブロック全体の外観図、図２は本発明の総運転時間測定装置を示す。
【００１２】
図１に基づき電気チェーンブロック動作原理について説明する。
電気チェーンブロック１００は、巻上げ下げの駆動を行う電動機１と、電動機１に取り付けられた減速部２と、電動機の駆動を制動する電磁ブレーキ３とを備え、上吊具４、ロードブロック５、ロードチェーン６、チェーンバケット７、吊金具８、押しボタン９、スプロケット１０を有する。
【００１３】
電気チェーンブロック１００には、吊金具８によってチェーンバケット７が吊り下げられている。また、本体部５０にはスプロケット１０が備えられており、スプロケット１０にはロードチェーン６が掛け渡されている。ロードチェーン６の一端には、ロードブロック５が取付けられており、ロードチェーン６の他端はチェーンバケット７にロードブロック５側と反対側のロードチェーン６が収納されるように備わる。
【００１４】
スプロケット１０には、巻上げ下げの駆動を行う電動機１が接続されており、電動機１は通電されていない状態においては、電磁ブレーキ３によりその回転が制動状態に維持されるようになっている。
【００１５】
そして、本体部５０には、押しボタン９が電気通信線を通じて電動機１、電磁ブレーキ３に接続されており、押しボタン９の操作ボタンの押し込むことにより、電動機１に通電されると同時に、電磁ブレーキ３にも通電されて電磁ブレーキ３が開放し、電動機１が回転を開始するようになっている。
【００１６】
この電動機１の回転は、本体部５０に備えられている減速部２で所定の回転速度に減速され、最終減速段と連結されたスプロケット１０により回転をロードチェーン６に伝達し、ロードチェーン６を介して、ロードブロック５の巻上げ、あるいは巻下げを行い、吊荷を巻上げ、あるいは巻下げするようになっている。また、本体部５０の中央部には上吊具４が備えられ、上吊具４によって電気チェーンブロック１００を懸架して設置できるようになっている。
【００１７】
以下に、本実施例における電気チェーンブロックの総運転時間計測装置の構成を図２を用いて説明する。
本体部５０に備えられたスプロケット１０に巻き取られるロードチェーン６は横リンクと、横リンクを約９０度回転させた縦リンクとが交互につなぎ合わされてできている。そして、スプロケット１０は歯車形状をしており、スプロケット１０の歯車部分にはロードチェーン６の横リンクが噛み合い巻き取られるようになっている。
【００１８】
また、スプロケット１０の周囲にはスプロケット１０の曲面に沿うようにチェーンガイド１１が設けられ、チェーンガイド１１の頂点部分には、レバー２１が設けられている。このレバー２１は、本体部５０のフレーム１２に取り付けられたスイッチ２０に連結しており、スイッチ２０は本体部５０のサイドカバー１３に取り付けられたカウンタ２２と接続されている。カウンタ２２はスイッチ２０の動作回数をカウントするとともに、動作回数を表示できるようになっている。また、図示していないが、カウンタ２２は電気チェーンブロックの制御部と接続されている。
【００１９】
以下、本実施例の測定方法を図１、２に基づいて説明する。押しボタン９の操作ボタンの押し込みにより電動機１に通電されると同時に、電磁ブレーキ３にも通電されて電磁ブレーキ３が開放し、電動機１が回転を開始する。電動機１の回転動力は減速機２で所定の回転速度に減速され、最終減速段と連結されたスプロケット１０によって巻上、巻下げられたロードチェーン６が巻き取られる。
【００２０】
スプロケット１０に巻き取られた縦リンクが、チェーンガイド１１に取り付けられたレバー２１に接触する。縦リンクがレバー２１に接触することで、電気チェーンブロック１００のフレーム１２に具備されているスイッチ２０が一回押される。
【００２１】
スイッチ２０が一回押されることでサイドカバー１３に具備されているカウンタ２２の表示回数が増加する。図示していない制御部でカウンタ２２で測定した回数と使用しているロードチェーン６の縦リンク間のピッチの積を求めることで、ロードチェーン６の総移動距離を算出することができる。そして、算出した総移動距離を本体の定格速度で除すことで総運転時間を算出することができる。カウンタ２２で計測したスイッチ２０の動作回数を外部に出力して、外部で上記計算を行い、総運転時間を算出することとしてもよい。
【００２２】
以上のことから、電気チェーンブロックの総運転時間を簡易的で安価に計測可能な電気チェーンブロックを提供することができる。
【００２３】
なお、上記例ではレバー２１によってロードチェーン６の動作をカウントする例を示したが、動作回数を測定するものはこれに限定されるものではなく、例えばストロークによってロードチェーン６の動作をカウントする構成としてもよい。
【００２４】
また、赤外線センサーによって、縦リンクの通過回数をカウントする構成としてもよい。いずれも、ロードチェーン６の通過回数を測定できるものであり、通過回数を表示できるものであれば、他の形状、構造でもよい。
【符号の説明】
【００２５】
１００…電気チェーンブロック
１…電動機  ２…減速部  ３…電磁ブレーキ  ４…上吊具  ５…ロードブロック  ６…ロードチェーン  ７…チェーンバケット  ８…吊金具  ９…押しボタンスイッチ  １０…スプロケット(回転体)  １１…チェーンガイド  １２…フレーム  １３…サイドカバー  ２０…スイッチ  ２１…レバー  ２２…カウンタ
【図１】
2015081147.tif 000003
【図２】
2015081147.tif 000004